(57)【要約】【課題】ＩＣカードの再発行処理を簡易化し、再発行の効率の向上を実現する。【解決手段】ファイルを複数格納しているユーザ領域の初期化動作を指示するオペコード部と、所定のファイルを指定するファイル識別情報を含むオペランド部とからなる初期化コマンドを外部機器から受け付け、受け付けた初期化コマンドのファイル識別情報により指定されるファイルが格納されている領域以外のユーザ領域を初期化するカード初期化部１０９とを備えることを特徴とするＩＣカード。【選択図】    図２
2004199202.tif 000002
【特許請求の範囲】
【請求項１】
ＩＣカードを用いた各サービスに対応する固有ファイルを複数格納しているユーザ領域を備えるＩＣカードであって、
前記ユーザ領域の初期化動作を指示するオペコード部と、前記ユーザ領域に格納されている固有ファイルの中から１つ以上のファイルを指定するファイル識別情報を含むオペランド部とからなる初期化コマンドを、外部装置から受け付ける受付手段と、
ユーザ領域のうち、前記受付手段により受け付けられた初期化コマンドに含まれるファイル識別情報により指定される固有ファイルが格納されている領域を除く部分を初期化する初期化手段と
を備えることを特徴とするＩＣカード。
【請求項２】
前記初期化手段は、
前記ファイル識別情報により指定される固有ファイルが格納されている前記ユーザ領域上の位置を特定する領域特定手段と、
領域特定手段により特定された領域を除くことにより１又は複数に分けられたユーザ領域上の残りの領域を、初期化する領域初期化手段を含む
ことを特徴とする請求項１記載のＩＣカード。
【請求項３】
前記ファイル識別情報が指定する固有ファイルは、所定の情報を保持するデータ領域を含み、
前記初期化コマンドの前記オペランド部はさらに、前記データ領域
の前記所定の情報を消去するか否かを示す処理種別情報を含み、
前記初期化手段はさらに、
前記処理種別情報にしたがって、前記所定の情報を消去する付加消去手段を含む
ことを特徴とする請求項１記載のＩＣカード。
【請求項４】
前記オペランド部はさらに、
前記付加消去手段により初期化された前記データ領域に新たな情報を格納することを示す格納指示情報と、前記新たな情報とを含み、
前記初期化手段はさらに、
前記格納指示情報にしたがって、前記初期化された前記データ領域に前記新たな情報を格納する再格納手段を含む
ことを特徴とする請求項３記載のＩＣカード。
【請求項５】
ＩＣカードを用いた各サービスに対応する固有ファイルを複数格納しているユーザ領域を備えるＩＣカードにおけるＩＣカード初期化方法であって、
前記ユーザ領域の初期化動作を指示するオペコード部と、前記ユーザ領域に格納されている固有ファイルの中から１つ以上のファイルを指定するファイル識別情報を含むオペランド部とからなる初期化コマンドを、外部装置から受け付ける受け付けステップと、
ユーザ領域のうち、前記受付手段により受け付けられた初期化コマンドに含まれるファイル識別情報により指定される固有ファイルが格納されている領域を除く部分を初期化する初期化ステップと
を有することを特徴とするＩＣカード初期化方法。
【発明の詳細な説明】
【０００１】
【発明の属する技術分野】
本発明は、カードサービスに用いるＩＣカードに関する。
【０００２】
【従来の技術】
近年、磁気カードに代わるハイセキュリティなデバイスとしてＣＰＵを内蔵しているＩＣカードが実用化されている。このようなＩＣカードは磁気カードと異なり、高度なセキュリティ機能を持たせることができる。また、磁気カードに比べ、記憶容量が格段に大きいため、１枚のカードに複数のファイルを持たせ、複数の用途に用いることができるという特徴があり、今後ますます使用されることが多くなると考えられている。ＩＣカードに情報を記録し多用途に利用する先行技術が、特許文献１（特開平８−１３８０１９号公報）に開示されている。
【０００３】
ＩＣカードの発行は、幾つかの機関を経て行われる場合が多く、各機関での発行処理のステップは行程順に１次発行、２次発行と便宜的に呼び分けられるが、夫々どのステップを１次発行、及び２次発行と呼ぶかは厳密に定められていない。本明細書では、通常カードメーカーにより、ファイル構造、アクセス条件等が設定され、また、カード発行者により、各種サービスに共通して用いるデータ等の書き込みが行われるまでのステップを１次発行と呼び、次にサービス（アプリケーション）提供者により、アプリケーション固有の情報が書き込まれるステップを２次発行と呼ぶこととする。
【０００４】
また、ＩＣカードはフレキシブルディスク等と同様に、使用済みになれば初期化（フォーマット）を行ない、再使用に供することもできる。初期化されたＩＣカードは、それまでに格納されていた情報が全て消去された状態となる。ＩＣカードを再使用するためには、全ての情報が消去されたＩＣカードに必要なファイルを新たに創生していくこととなる。
【０００５】
【特許文献１】
特開平８−１３８０１９号公報
【０００６】
【発明が解決しようとする課題】
しかしながら、このような従来のＩＣカードの再使用方法では、発行処理のステップを一から行う必要がある。再発行の度に発行処理のステップを一から行っていたのでは、例えば複数の機関の間でＩＣカードを輸送する手間等がかかり、非常に効率が悪い。
【０００７】
本発明はかかる問題に鑑み、ＩＣカードの再発行処理を簡易化し、再発行の効率の向上を実現する初期化機能を備えたＩＣカード、及びＩＣカード初期化方法を提供することを目的とする。
【０００８】
【課題を解決するための手段】
上記目的を達成するために、本発明に係るＩＣカードは、ＩＣカードを用いた各サービスに対応する固有ファイルを複数格納しているユーザ領域を備えるＩＣカードであって、前記ユーザ領域の初期化動作を指示するオペコード部と、前記ユーザ領域に格納されている固有ファイルの中から１つ以上のファイルを指定するファイル識別情報を含むオペランド部とからなる初期化コマンドを、外部装置から受け付ける受付手段と、ユーザ領域のうち、前記受付手段により受け付けられた初期化コマンドに含まれるファイル識別情報により指定される固有ファイルが格納されている領域を除く部分を初期化する初期化手段とを備えることを特徴とする。
【０００９】
また、本発明に係るＩＣカード初期化方法は、ＩＣカードを用いた各サービスに対応する固有ファイルを複数格納しているユーザ領域を備えるＩＣカードにおけるＩＣカード初期化方法であって、前記ユーザ領域の初期化動作を指示するオペコード部と、前記ユーザ領域に格納されている固有ファイルの中から１つ以上のファイルを指定するファイル識別情報を含むオペランド部とからなる初期化コマンドを、外部装置から受け付ける受け付けステップと、ユーザ領域のうち、前記受付手段により受け付けられた初期化コマンドに含まれるファイル識別情報により指定される固有ファイルが格納されている領域を除く部分を初期化する初期化ステップとを有することを特徴とする。
【００１０】
これによって、初期化後も使用するファイルを指定し、指定したファイルを消去せずにＩＣカードのユーザ領域を初期化することができる。
従って、初期化後も使用するファイルの再発行処理を省略することが出来、ＩＣカードの再発行処理を簡易化し、再発行の効率の向上を実現することができる。さらに、再発行時に発行処理を一から行うことが不要となるため、ＩＣカードを輸送する機会が減り、輸送途中においてＩＣカードが盗難、紛失等にあう危険性を軽減することもできる。
【００１１】
【発明の実施の形態】
以下、本発明の実施の形態について、図１から図１６を用いて説明する。
（実施の形態１）
＜概要＞
本実施の形態１は、ＣＰＵを内蔵しているＩＣカードのユーザ領域の初期化時に、初期化後も使用するファイルを初期化の対象とはせずに、ユーザ領域内に保持することで、ＩＣカードの再発行の効率を向上させるものである。
【００１２】
＜構成＞
図１は、本発明の実施の形態１に係るＩＣカードを用いて複数のサービスを利用できるＩＣカードシステム１の構成を示す図である。ＩＣカードシステム１は、カード発行者１１、ＩＣカード１２、サービス提供者１３、サービス提供者１４、及サービス提供者１５からなる。
【００１３】
図２は、本発明の実施の形態１に係るＩＣカード１２の機能ブロック図である。また、図２は、ＩＣカード１２に加え、ＩＣカード１２と通信を行うための、外部機器１０もあわせて示している。外部機器１０は処理内容によって様々であるが、カード発行機やカード初期化用端末等のリーダライタが該当する。ＩＣカード１２は、記憶部１０１、コマンド受信部１０２、コマンド解析部１０３、キー照合部１０４、ファイル創生部１０５、テーブル記憶部１０６、ファイル検索部１０７、ファイル書込み部１０８、カード初期化部１０９、及びレスポンス送信部１１０を備える。
【００１４】
記憶部１０１は、ＩＣカードの動作に用いるファイルを保持する不揮発性メモリであり、具体的には８ｋｂｙｔｅのＥＥＰＲＯＭである。
図３は、一次発行前のメモリ内容を示す図である。記憶部１０１は、システム領域２０１、ユーザ領域２０２からなり、システム領域２０１は、１２８ｂｙｔｅの領域を持ち、ライフサイクル情報２０３と発行者キー２０４が格納されている。ライフサイクル情報２０３はＩＣカード１２のライフサイクル上の状態（例えば一次発行前であるか否か等）を示すファイルである。また、発行者キー２０４は、正しい発行者キーを知っている外部機器１０に対してのみ、ユーザ領域２０２にファイルの創生、書き込み等を実効する権限を与えるための認証用のファイルである。これらシステム領域２０１の各ファイルは、外部機器１０からファイルの内容を読み取ることはできない。ユーザ領域２０２は、ＩＣカード１２を用いるサービスにおいて情報の読み書きに利用する領域であり、外部機器１０から読み書きが可能である。一次発行前において、ユーザ領域２０２は未使用状態である。
【００１５】
図２に示す、コマンド受信部１０２は、外部機器１０のコマンド送信部により送出された各種コマンドを受信する。尚、外部機器１０とＩＣカード１２間において送受信されるコマンドには、例えば、本発明の発行、再発行処理に関するコマンドとして、発行者キー照合コマンド、ファイル創生コマンド、ファイル書込みコマンド、及びカード初期化コマンドがある。
【００１６】
図４は、外部機器とＩＣカード１２間において送受するコマンドのフォーマットである。各コマンドは、動作の種類を示すコマンド識別コードと、オペランドからなる。発行者キー照合コマンドは、図３の（ａ）に示すように、キーデータを示すオペランドを含む。ファイル創生コマンドは、図３の（ｂ）に示すように、ファイルＩＤ及びファイルサイズからなるオペランドを含む。尚、ファイルＩＤとは、本発明に係るＩＣカードシステムにおいて、一意に定められたファイルの識別子であり、当該ＩＣカードシステムに関わる全ての外部機器において、全てのファイルＩＤは既知である。尚、ファイル創生コマンドのオペランドには、ファイルＩＤ、ファイルサイズ以外にも、創生されるファイルの種類やアクセス権限等を設定するファイル属性情報を含めてもよい。ファイル書込みコマンドは、図３の（ｃ）に示すように、ファイルＩＤ、書込みアドレス、書込みデータ長、及び書込みデータからなるオペランドを含む。尚、書込みアドレスは、書込みデータを書き込む記憶部１０１上の物理アドレスを、ファイルＩＤにより指定されるファイルの格納先の先頭アドレスからの相対アドレスにより示す。カード初期化コマンドは、図３の（ｄ）に示すように、ファイルＩＤからなるオペランドを含む。尚、カード初期化コマンドは、オペランドを含まずコマンド識別コードのみでもよい。また、図３の（ｅ）に示すように、オペランドとして複数のファイルＩＤを指定することも可能である。
【００１７】
図２に示す、コマンド解析部１０３は、コマンド受信部１０２が受信したコマンドの識別コードを解析するデコーダである。
キー照合部１０４は、コマンド受信部１０２が受信した発行者キー照合コマンドのキーデータと、システム領域に格納している発行者キーとを用いて外部機器１０の正当性を確認するキー照合を行う。
【００１８】
ファイル創生部１０５は、ユーザ領域２０２に領域を確保しファイルの創生を行う。コマンド受信部１０２が受信したファイル創生コマンドのオペランドで示されるファイルサイズの領域をユーザ領域に確保し、確保した領域の先頭アドレスと最終アドレスとを、ファイルＩＤと対応させてファイルＩＤテーブル１２０に格納する。
【００１９】
テーブル記憶部１０６は、読み書き可能な不揮発性メモリであり、ファイルＩＤテーブル１２０を保持する。ファイルＩＤテーブル１２０は、ユーザ領域２０２上の各ファイルの先頭アドレス、最終アドレス、及び初期化保護フラグとファイルＩＤとを対応付けて記録する。
図５は、ファイルＩＤテーブル１２０のデータ構造を示す図である。ファイルＩＤテーブル１２０はユーザ領域上のファイルの数と同数のＩＤ情報から構成される。各ＩＤ情報は、各ファイルと１対１に対応し、ファイルＩＤ、先頭アドレス、最終アドレス、及び初期化保護フラグから構成される。尚、先頭アドレス、及び最終アドレスは、記憶部１０１上の物理アドレスであり、ファイルの格納領域の先頭、及び最終のアドレスを示す。初期化保護フラグは、ＩＣカードの初期化動作時に初期化しないファイルを指定するフラグであり、有効値、及び無効値の何れかの値をとる。尚、各ＩＤ情報の初期化保護フラグは、ファイル創生時には、無効値が設定される。
【００２０】
ファイル検索部１０７は、各コマンドのオペランドに含まれるファイルＩＤに対応するＩＤ情報を、ファイルＩＤテーブル１２０から検索する。
ファイル書込み部１０８は、指定のファイルにデータの書き込みを行う。ファイル書込みコマンドのオペランドに含まれるファイルＩＤが指定するファイルの先頭アドレスを、ファイル検索部１０７を用いてファイルＩＤテーブル１２０から取得し、取得した先頭アドレスと、オペランド中の書込みアドレスから、データを書き込む記憶部１０１上の物理アドレスを特定し、特定した物理アドレスからオペランド中の書込みデータを、書込みデータ長分書き込む。
【００２１】
カード初期化部１０９は、ユーザ領域２０２の初期化を行う。先ず、カード初期化コマンドのオペランドに含まれるファイルＩＤに対応するＩＤ情報を、ファイル検索部１０７を用いて検索し、当該ＩＤ情報の初期化保護フラグを有効値に変更する。同様の処理により、オペランド中の全てのファイルＩＤについて初期化保護フラグを変更する。次に、ファイルＩＤテーブル１２０から、初期化保護フラグが有効ではない全てのＩＤ情報を削除し、削除しなかったＩＤ情報の初期化保護フラグを無効値に変更する。最後に、ファイルＩＤテーブル１２０中の各ＩＤ情報の先頭アドレス、及び最終アドレスが示す領域を除くユーザ領域２０２の全ての領域を初期化する。
【００２２】
レスポンス送信部１１０は、各コマンドの処理終了を示す情報を外部機器１０のレスポンス受信部へ送信する。
図１のカード発行者１１は、ＩＣカードの１次発行を行うリーダライタを備え、本実施の形態１に係るＩＣカードシステム１の各サービスにおいて、共通に使用され得る共通データであるファイル２０５をユーザ領域２０２へ書き込む。尚、本実施の形態において共通データとは、ＩＣカード１２の利用者の個人情報であり、カード利用者の氏名、年齢、性別、住所、及び電話番号等の情報である。さらにカード発行者１１は、カード利用者の好みにあわせてカード表面のデザインの変更、例えば利用者の顔写真の印刷等も行う。尚、ここで共通データであるファイル２０５が書き込まれたユーザ領域２０２上の領域を共通領域と称する。
【００２３】
サービス提供者１３は銀行であり、ＩＣカード１２をクレジットカードとして用いるサービスを提供する。
サービス提供者１４は銀行と提携している家電販売店であり、ＩＣカード１２をポイントカードとして用い、利用者の購入額にあわせてＩＣカードにポイントを加算して記録し、次回購入時に販売価格を割り引くサービスを提供する。
【００２４】
サービス提供者１５は、レンタルビデオ店であり、ＩＣカードを会員カードとして用い利用者確認、及び利用履歴の蓄積に用いる。
これらのサービス提供者１３、１４、１５は、２次発行を行うリーダライタを備え、各々のサービスに固有なファイル群を書き込む。尚、特定のサービスに用いるファイル群をアプリケーションと称し、アプリケーションは、特定のサービスに用いる情報を保持するファイルと、当該ファイルの更新時に認証を行う為のファイルであるアクセスキーとからなる。また、各アプリケーションを格納するユーザ領域２０２上の領域をアプリケーション領域と称する。
【００２５】
＜動作＞
以下に、本発明の実施の形態１における、ＩＣカードシステム１の発行、再発行の流れを図を用いて説明する。
図６は、本発明の実施の形態１に係わるＩＣカードシステム１の発行、及び再発行の流れを示す図である。
【００２６】
先ず、カード発行者１１が１次発行として、記憶部１０１へ共通データであるファイル２０５の書き込みを行う（Ｓ１１）。ファイル２０５の内容はカード利用者の個人情報である。個人情報とは、氏名、年齢、性別、住所、電話番号等の情報のことであり、様々なアプリケーションで共通に使用され得る情報である。また、ここでは、カードデザインの変更、利用者の写真の印刷なども行う。以下に１次発行の動作を詳述する。図７は、１次発行におけるリーダライタとＩＣカード１２との動作の流れを示す図である。
【００２７】
まず始めにカード発行者１１の外部機器は、コマンド送信部から発行者キー照合コマンドを送信し（Ｓ１０１）、送信後に一定時間待機する。一方、ＩＣカード１２は、コマンドの受信を待ち受けおり（Ｓ１０２）、コマンド受信部１０２でコマンドを受信すると（１０２：Ｙｅｓ）、コマンド解析部１０３へ処理を引き継ぐ。コマンド解析部１０３は、コマンド識別コードを解析し（Ｓ１０３）、受信したコマンドを発行者キー照合コマンドとして、キー照合部１０４に処理を引き継ぐ。キー照合部１０４は、オペランド中のキーデータと発行者キー２０４とを用いて外部機器の正当性を認証し（Ｓ１０４）、認証結果が正当であれば（Ｓ１０４：Ｙｅｓ）レスポンス送信部１１０から発行者キー照合完了を示す処理結果を送信する（Ｓ１０５）。認証結果が正当でない場合は（Ｓ１０４：Ｎｏ）、処理を終了する。
【００２８】
外部機器は、発行者キー照合コマンドの送信後に一定時間待機し発行者キー照合完了を示す処理結果の受信を待ち受ける（Ｓ１０６）。レスポンス受信部が発行者キー照合完了を示す処理結果を受信した場合は（Ｓ１０６：Ｙｅｓ）、コマンド送信部からファイル創生コマンドを送信し（Ｓ１０７）、送信後に一定時間待機する。レスポンス受信部が発行者キー照合完了を示す処理結果を受信しない場合は（Ｓ１０６：Ｎｏ）、処理を終了する。
【００２９】
ＩＣカード１２は、コマンド受信部１０２でコマンドを受信し（Ｓ１０８）、コマンド解析部１０３へ処理を引き継ぐ。コマンド解析部１０３は、コマンド識別コードを解析し（Ｓ１０９）、受信したコマンドをファイル創生コマンドとして、ファイル創生部１０５に処理を引き継ぐ。ファイル創生部１０５はオペランドで指定されたファイルサイズ分の領域をユーザ領域２０２内に確保し、確保した領域の先頭アドレス、及び最終アドレスとオペランドで指定されたファイルＩＤとを関連付けてフィルＩＤテーブルへ格納する（Ｓ１１０）。レスポンス送信部１１０はファイル創生完了を示す処理結果を送信する（Ｓ１１１）。
【００３０】
外部機器は、ファイル創生コマンドの送信後に一定時間待機しファイル創生完了を示す処理結果の受信を待ち受ける（Ｓ１１２）。レスポンス受信部がファイル創生完了を示す処理結果を受信した場合は（Ｓ１１２：Ｙｅｓ）、コマンド送信部からファイル書込みコマンドを送信し（Ｓ１１３）、送信後に一定時間待機する。レスポンス受信部がファイル創生完了を示す処理結果を受信しない場合は（Ｓ１１２：Ｎｏ）、処理を終了する。
【００３１】
ＩＣカード１２は、コマンド受信部１０２でコマンドを受信し（Ｓ１１４）、コマンド解析部１０３へ処理を引き継ぐ。コマンド解析部１０３は、コマンド識別コードを解析し（Ｓ１１５）、受信したコマンドをファイル書込みコマンドとして、ファイル書込み部１０８に処理を引き継ぐ。ファイル書込み部１０８は、オペランドで指定されたファイルＩＤをファイル検索部１０７へ出力し、ファイル検索部１０７は取得したファイルＩＤから対象ファイルの先頭アドレスを取得し、ファイル書込み部１０８へ取得した先頭アドレスを出力する（Ｓ１１６）。ファイル書込み部１０８は、ファイル検索部１０７から取得した先頭アドレスと、当該先頭アドレスからの相対アドレスである書込みアドレスを用いてデータの書込み位置を特定し、書込みデータをファイル２０５へ書き込む（Ｓ１１７）。レスポンス送信部１１０はファイル書込み完了を示す処理結果を送信し（Ｓ１１８）、処理を終了する。
【００３２】
外部機器は、ファイル書込みコマンドの送信後に一定時間待機しファイル書込み完了を示す処理結果の受信を待ち受け（Ｓ１１９）、ファイル書込み完了を示す処理結果を受信後に処理を終了する。
以上の手順により、ＩＣカード１２にファイル２０５が書き込まれ一次発行が完了する。図８は、一次発行済みのＩＣカード１２のメモリ内容を示す図である。尚、共通データであるファイル２０５のアクセス権の設定は、どのアプリケーションからも使用できるよう読出しは自由であり、書き換えはカード発行者１１のみが可能とする。
【００３３】
次に図６に示すように、１次発行済みのＩＣカード１２は各サービス提供者へ輸送され２次発行が行われる。先ず銀行であるサービス提供者１３は、クレジットカード用のアプリケーションであるファイル２０６と、アクセスキー２０７とをユーザ領域２０２へ書き込む（Ｓ１２）。尚、ファイル２０６とアクセスキー２０７とは、それぞれ図７に示すファイル２０５を書き込む処理と同様の処理によりユーザ領域２０２へ書き込まれる。
【００３４】
さらに、ＩＣカード１２は家電販売店であるサービス提供者１４へ輸送され、サービス提供者１４はポイントカード用のアプリケーションであるファイル２０８と、アクセスキー２０９とをユーザ領域２０２へ書き込む（Ｓ１３）。尚、ファイル２０８とアクセスキー２０９とは、それぞれ図７に示すファイル２０５を書き込む処理と同様の処理によりユーザ領域２０２へ書き込まれる。以上の処理により、ＩＣカード１２の２次発行が完了する。図９は、２次発行済みのＩＣカード１２のメモリ内容を示す図である。尚、本実施の形態では、ＩＣカード１２を利用して受けるサービスは２つであるが、他のサービス提供者へＩＣカード１２を輸送してそれぞれのサービスに固有なアプリケーションをユーザ領域２０２の未使用領域へ書き込むことで、さらに他のサービスを受けることもできる。
【００３５】
上記の処理により２次発行が完了したＩＣカード１２は、図６に示すように、カード利用者によって使用される（Ｓ１４）。
ここで、カード利用者が、銀行であるサービス提供者１３との契約を解約する場合、ＩＣカード１２を初期化する必要が生じる。しかし、ＩＣカード１２のカードデザインが利用者の好みで作られている等の理由により、カード利用者がサービス提供者１３との解約後も同一のカードを使用することを望む場合が考えられる。この場合、カード利用者は、初期化処理可能な外部機器を備えるカード発行者１１へＩＣカード１２を輸送し、共通データであるファイル２０５を指定して初期化する（Ｓ１５）ことで、初期化後も必要なファイル２０５を残して初期化することが可能となる。これにより、カード発行者１１による１次発行を再度受ける必要がなくなる。
【００３６】
以下に指定のファイルをのこしてユーザ領域２０２を初期化する動作を詳述する。図１０は、初期化動作におけるリーダライタとＩＣカードとの動作の流れを示す図である。
まず始めに初期化処理可能な外部機器は、コマンド送信部から、発行者キー照合コマンドを送信し（Ｓ１２１）、送信後に一定時間待機する。一方、ＩＣカード１２は、コマンドの受信を待ち受けおり（Ｓ１２２）、コマンド受信部１０２でコマンドを受信すると（１２２：Ｙｅｓ）、コマンド解析部１０３へ処理を引き継ぐ。コマンド解析部１０３は、コマンド識別コードを解析し（Ｓ１２３）、受信したコマンドを発行者キー照合コマンドとして、キー照合部１０４に処理を引き継ぐ。キー照合部１０４は、オペランド中のキーデータと発行者キー２０４とを用いて外部機器の正当性を認証し（Ｓ１２４）、認証結果が正当であれば（Ｓ１２４：Ｙｅｓ）レスポンス送信部１１０から発行者キー照合完了を示す処理結果を送信する（Ｓ１２５）。認証結果が正当でない場合は（Ｓ１２４：Ｎｏ）、処理を終了する。
【００３７】
外部機器は、発行者キー照合コマンドの送信後に一定時間待機し発行者キー照合完了を示す処理結果の受信を待ち受ける（Ｓ１２６）。レスポンス受信部が発行者キー照合完了を示す処理結果を受信した場合は（Ｓ１２６：Ｙｅｓ）、コマンド送信部からカード初期化コマンドを送信し（Ｓ１２７）、送信後に一定時間待機する。レスポンス受信部が発行者キー照合完了を示す処理結果を受信しない場合は（Ｓ１２６：Ｎｏ）、処理を終了する。
【００３８】
ＩＣカード１２は、コマンド受信部１０２でコマンドを受信し（Ｓ１２８）、コマンド解析部１０３へ処理を引き継ぐ。コマンド解析部１０３は、コマンド識別コードを解析し（Ｓ１２９）、受信したコマンドをカード初期化コマンドとして、カード初期化部１０９に処理を引き継ぐ。カード初期化部１０９はオペランドとしてファイルＩＤが示されていれば（Ｓ１３０：Ｙｅｓ）、指定のファイルＩＤに対応するＩＤ情報をファイル検索部１０７によって検索し、検索したＩＤ情報の初期化保護フラグを有効値に変更する（Ｓ１３１）。カード初期化部１０９は上記動作をオペランド中の全てのファイルＩＤについて繰り返し、オペランド中に未処理のファイルＩＤがなくなると（Ｓ１３０：Ｎｏ）、ファイルＩＤテーブル１２０から、初期化保護フラグが有効値ではない全てのＩＤ情報を削除し、削除しなかったＩＤ情報の初期化保護フラグを無効値に変更する（Ｓ１３２）。次に、カード初期化部１０９は、ファイルＩＤテーブル１２０中の各ＩＤ情報の先頭アドレス、及び最終アドレスが示す領域を除くユーザ領域２０２の全ての領域を初期化し（Ｓ１３３）、レスポンス送信部１１０は、カード初期化完了を示す処理結果を送信する（Ｓ１３４）。
【００３９】
外部機器は、カード初期化コマンドの送信後に一定時間待機しカード初期化完了を示す処理結果の受信を待ち受け（Ｓ１３５）、カード初期化完了を示す処理結果を受信後に処理を終了する。
以上の手順により、ＩＣカード１２は指定のファイル２０５をのこしてユーザ領域２０２が初期化され、記憶部１０１のメモリ内容は、図８に示す１次発行後と同じ状態となる。したがって、初期化後に本実施の形態に係るＩＣカード１２を再使用する場合、再度１次発行を行う必要がなく、２次発行だけを行えばよい。これにより効率の良い再発行処理が可能となる。
【００４０】
次に図６に示すように、初期化後のＩＣカード１２は、サービスを利用するサービス提供者１５へ輸送され、サービス提供者１５は、あらたなアプリケーションをユーザ領域２０２へ書き込む（Ｓ１６）。尚、サービス提供者１５は、図７に示すファイル２０５を書き込む処理と同様の処理によりユーザ領域２０２へアプリケーションを書き込む。
【００４１】
上記の処理により再発行が完了したＩＣカード１２は、カード利用者によって使用される（Ｓ１７）。
以上のように、本発明の実施の形態１のＩＣカードは、コマンドによって指定されたファイルを初期化対象から除外して初期化することで、これによって初期化後も使用するファイルの再発行処理を省略することが出来、ＩＣカードの再発行処理を簡易化し、再発行の効率の向上を実現することができる。さらに、初期化後も使用するファイルの消去、及び書き込み処理を省略することで、ＩＣカードのＥＥＰＲＯＭの耐久数の減少を抑えることができる。
【００４２】
尚、本実施の形態１では、カード発行者１１において初期化処理を行うとしたが、初期化処理は正当な外部機器を備えるサービス提供者１３、１４、１５、あるいはカード利用者においても可能としてもよい。これにより、カード発行者１１にＩＣカード１２を輸送する必要がなくなり、利用したいサービス提供者のいずれかへＩＣカード１２を輸送して初期化、及びアプリケーションの書き込みをすればよいため、さらに効率よくＩＣカードを再発行することが可能となり、さらには、ＩＣカードを輸送する機会が減るため、輸送途中においてＩＣカードが盗難、紛失等にあう危険性を軽減することもできる。
【００４３】
また、本実施の形態１では、１次発行により書き込まれる共通データであるファイル２０５のみを初期化対象から除外して初期化するとしたが、共通データに加え、初期化後も利用を続けたいサービス提供者のアプリケーションを初期化対象から除外してもよい。これにより、初期化後も利用するサービスの２次発行を省略することが可能となり、再発行の効率をさらに向上させることが可能となる。例えば、図３の（ｅ）のように、カード初期化コマンドのオペランドとして、ファイル２０５に加えサービス提供者１４が提供するアプリケーション（ファイル２０８、２０９）を指定し初期化対象から除外することで、初期化後にＩＣカード１２をサービス提供者１４へ輸送することなくサービスを利用することが可能となる。さらに、サービス提供者１４が提供するポイントカードのポイントの蓄積を再発行後にも利用することが可能となる。
（実施の形態２）
＜概要＞
上記の実施の形態１では、共通データとしてカード利用者の個人情報が書き込まれたＩＣカードを初期化後も同じカード利用者が使用する形態を示したが、本発明の実施の形態２は、共通データとしてカード発行者２１の情報が書き込まれたＩＣカードが、初期化後にリサイクルされ他の利用者が再使用する形態を説明する。
【００４４】
＜構成＞
図１１は、本発明の実施の形態２に係るＩＣカードを用いて複数のサービスを利用できるＩＣカードシステム２の構成を示す図である。ＩＣカードシステム２は、カード発行者２１、ＩＣカード２２、サービス施設２３、サービス施設２４、及サービス施設２５からなる。
【００４５】
カード発行者２１は、スポーツジム管理者であり、ＩＣカード２２の発行、運用を行う。カード発行者２１はカード発行時に、共通データと、カード利用者が使用を希望する各サービス施設に用いるアプリケーションとをＩＣカード２２に書き込むことで、ＩＣカード２２の１次発行と２次発行とを共に行う。尚、本実施の形態２において共通データとは、発行者の情報であり発行者名等である。
【００４６】
サービス施設２３、２４、２５はスポーツジム内の利用施設であり、各サービス施設は対応するアプリケーションを備えたＩＣカード２２を持つカード利用者のみが使用することができる。ここで、サービス施設２３は、基礎体力測定施設であり、全てのカード利用者はサービス施設２３を使用する必要がある。
ＩＣカード２２は、スポーツジムの１日利用券であり、各サービス施設の利用の際に、当該サービス施設が備えるリーダライタにより対応するアプリケーションの施設使用履歴が更新される。利用者は、スポーツジム入場時に、使用するサービス施設をカード発行者２１に申請し、カード発行者２１は、共通データ及びサービス施設２３に用いるアプリケーションに加えて、申請された各サービス施設に用いるアプリケーションをＩＣカード２２へ書き込みＩＣカード２２を発行する。図１２は、発行済みのＩＣカード２２のメモリ内容を示す図である。ＩＣカード２２は、１日利用券として使用された後はカード発行者２１であるスポーツジム管理者に回収され、初期化後他のカード利用者により再使用される。
【００４７】
以下にＩＣカード２２の構成について詳述する。図１３は、本発明の実施の形態２に係るＩＣカード２２の機能ブロック図である。また、図１３はＩＣカード２２に加えＩＣカード２２と通信を行うための、外部機器２０もあわせて示している。外部機器２０は処理内容によって様々であるが、カード発行機やカード初期化用端末等のリーダライタが該当する。図１３に示すＩＣカード２２は、実施の形態１で説明したＩＣカード１２のカード初期化部１０９を、カード初期化部２２１に変更し、付加消去部２２２を加えたものである。なお、ＩＣカード１２と同様の構成要素には同一の符号を付し、それらの説明を省略する。
【００４８】
カード初期化部２２１は、コマンド受信部１０２が受信したカード初期化コマンドに従いユーザ領域２０２の初期化を行う。図１４は、外部機器２０とＩＣカード２２間において送受するカード初期化コマンドのフォーマットを示す。
カード初期化コマンドのオペランドは、図１４の（ａ）に示すように、ファイルＩＤ、処理種別、及びキー特定情報からなる単位情報を１つ又は複数含み、各単位情報は、共有データ、又は１つのアプリケーションの初期化時の処理方法を示す情報である。
【００４９】
尚、単位情報のファイルＩＤが共通データを示す場合、単位情報はキー特定情報を含まない。尚、ファイルＩＤは実施の形態１と同様に、本発明に係るＩＣカードシステムにおいて、一意に定められたファイルの識別子である。処理種別は、単位情報中のファイルＩＤが示すファイルのデータを初期化時に消去するか否かを示す１ビットの情報であり、処理種別が‘０’の場合はファイルのデータを消去し、処理種別が‘１’の場合はファイルのデータを消去しない。キー特定情報は、アクセスキーのファイルＩＤであって、初期化対象から除外するアクセスキーを指定する。
【００５０】
図１３に示す、カード初期化部２２１は、カード初期化コマンドのオペラントに含まれる単位情報中のファイルＩＤに対応するＩＤ情報を、ファイル検索部１０７を用いてファイルＩＤテーブル１２０から検索し、当該ＩＤ情報の初期化保護フラグを有効値に変更する。次に処理種別を判定し、ファイルＩＤが示すファイルのデータを消去する場合は、ＩＤ情報をもとに付加消去部２２２を用いてファイルのデータを消去する。単位情報中にキー特定情報がある場合は、対応するＩＤ情報をファイル検索部１０７を用いて検索し、当該ＩＤ情報の初期化保護フラグを有効値に変更する。
【００５１】
以上の処理をオペランド中の全ての単位情報について実行した後、ファイルＩＤテーブル１２０から、初期化保護フラグが有効ではない全てのＩＤ情報を削除し、削除しなかったＩＤ情報の初期化保護フラグを無効値に変更する。最後に、ファイルＩＤテーブル１２０中の各ＩＤ情報の先頭アドレス、及び最終アドレスが示す領域を除くユーザ領域２０２の全ての領域を初期化する。
【００５２】
尚、ユーザ領域２０２の全ての領域を初期化する場合、カード初期化コマンドは、オペランドを含まずコマンド識別コードのみでよい。
付加消去部２２２は、指定のＩＤ情報の先頭アドレスと最終アドレスとをファイルＩＤテーブル１２０から取得し、データを消去する。
図１５は、初期化後のＩＣカード２２のメモリ内容を示す図である。共通データであるファイル６０１と、サービス施設２３に用いるアプリケーションであるファイル６０２、６０３とは全てのカード利用者に共通して必要であるため、初期化対象から除外され、ユーザ領域２０２のそれ以外の領域は初期化される。ただし、ファイル６０２のデータである体力データは、カード利用者毎に異なるため消去される。
【００５３】
＜動作＞
以下に、本発明の実施の形態２におけるＩＣカード２２の初期化の動作の流れを図を用いて説明する。
図１６は、初期化動作におけるリーダライタとＩＣカード２２との動作の流れを示す図である。
【００５４】
まず始めに外部機器は、コマンド送信部から、発行者キー照合コマンドを送信し（Ｓ２０１）、送信後に一定時間待機する。一方、ＩＣカード２２は、コマンドの受信を待ち受けおり（Ｓ２０２）、コマンド受信部１０２でコマンドを受信すると（２０２：Ｙｅｓ）、コマンド解析部１０３へ処理を引き継ぐ。コマンド解析部１０３は、コマンド識別コードを解析し（Ｓ２０３）、受信したコマンドを発行者キー照合コマンドとして、キー照合部１０４に処理を引き継ぐ。キー照合部１０４は、オペランド中のキーデータと発行者キー２０４とを用いて外部機器の正当性を認証し（Ｓ２０４）、認証結果が正当であれば（Ｓ２０４：Ｙｅｓ）レスポンス送信部１１０から発行者キー照合完了を示す処理結果を送信する（Ｓ２０５）。認証結果が正当でない場合は（Ｓ２０４：Ｎｏ）、処理を終了する。
【００５５】
外部機器は、発行者キー照合コマンドの送信後に一定時間待機し発行者キー照合完了を示す処理結果の受信を待ち受ける（Ｓ２０６）。レスポンス受信部が発行者キー照合完了を示す処理結果を受信した場合は（Ｓ２０６：Ｙｅｓ）、コマンド送信部からカード初期化コマンドを送信し（Ｓ２０７）、送信後に一定時間待機する。レスポンス受信部が発行者キー照合完了を示す処理結果を受信しない場合は（Ｓ２０６：Ｎｏ）、処理を終了する。
【００５６】
ＩＣカード２２は、コマンド受信部１０２でコマンドを受信し（Ｓ２０８）、コマンド解析部１０３へ処理を引き継ぐ。コマンド解析部１０３は、コマンド識別コードを解析し（Ｓ２０９）、受信したコマンドをカード初期化コマンドとして、カード初期化部２２１に処理を引き継ぐ。
カード初期化部２２１はカード初期化コマンドのオペランドに未処理の単位情報があれば（Ｓ２１０：Ｙｅｓ）、単位情報中のファイルＩＤに対応するＩＤ情報をファイル検索部１０７によって検索し、検索したＩＤ情報の初期化保護フラグを有効値に変更する（Ｓ２１１）。次にカード初期化部２２１は、単位情報中の処理種別を判定し（Ｓ２１２）、処理種別が‘０’であれば（Ｓ２１２：Ｙｅｓ）、検索したＩＤ情報を付加消去部２２２に出力し、付加消去部２２２は、ファイルＩＤテーブル１２０から指定のＩＤ情報が示すファイルの先頭アドレスと最終アドレスとを取得し、先頭アドレスと最終アドレスとの間の領域に格納されたデータを消去する（Ｓ２１３）。次にカード初期化部２２１は、単位情報中にキー特定情報がある場合は（Ｓ２１４：Ｙｅｓ）、対応するＩＤ情報をファイル検索部１０７によって検索し、検索したＩＤ情報の初期化保護フラグを有効値に変更する（Ｓ２１５）。
【００５７】
カード初期化部２２１は、上記の動作をオペランド中の全ての単位情報について繰り返し、オペランド中に未処理の単位情報がなくなると（Ｓ２１０：Ｎｏ）、ファイルＩＤテーブル１２０から、初期化保護フラグが有効値ではない全てのＩＤ情報を削除し、削除しなかったＩＤ情報の初期化保護フラグを無効値に変更する（Ｓ２１６）。次に、カード初期化部２２１は、ファイルＩＤテーブル１２０中の各ＩＤ情報の先頭アドレス、及び最終アドレスが示す領域を除くユーザ領域２０２の全ての領域を初期化し（Ｓ２１７）、レスポンス送信部１１０は、カード初期化完了を示す処理結果を送信する（Ｓ２１８）。
【００５８】
外部機器は、カード初期化コマンドの送信後に一定時間待機しカード初期化完了を示す処理結果の受信を待ち受け（Ｓ２１９）、カード初期化完了を示す処理結果を受信後に処理を終了する。
以上のように、本発明の実施の形態２のＩＣカード２２は、コマンドによって指定されたファイルを初期化対象から除外して初期化し、さらに初期化と共に初期化対象から除外したファイルのデータを消去する事が可能であり、これによって初期化後もファイルの内容をかえて使用するファイルの再発行の効率をさらに向上することができる。
【００５９】
尚、本実施の形態２のＩＣカード２２では、初期化処理において指定ファイルを初期化対象から除外すると共に、指定ファイルの内容を消去することで初期化後の再発行の効率を向上させているが、さらに再発行の効率を向上させるために、カード初期化コマンドを図１４の（ｂ）に示すフォーマットとしても良い。これによって、処理種別がファイルの内容を消去する‘０’である場合に、単位情報中に、先頭アドレスからの相対アドレスによって書き込み位置を示すアドレス情報と、書き込みデータとを含むことで、初期化と共に指定ファイルの内容を新たに書き込むことが可能となり、ＩＣカードの初期化後の再発行の効率をさらに向上することが可能となる。
【００６０】
また、カード初期化コマンドを図１４の（ｃ）に示すフォーマットとしてもよい。これによって、オペランド中の“タグ／長さ”によって、以降に削除しないファイルの情報が続くか、以降に書き込むべきデータに関する情報が続くかのいずれかを示すタグと、それらの情報の長さを指定することで、初期化処理に対する様々な要求に対応することができる。
【００６１】
以上、本発明に係わるＩＣカードについて、実施の形態に基づいて説明してきたが、本発明はこれら実施の形態に限定されないことは勿論である。即ち、以下のような場合も本発明に含まれる。
（１）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、半導体メモリなどに記録したものとしてもよい。また、これら記録媒体に記録されている前記コンピュータプログラム又は前記デジタル信号であるとしてもよい。
（２）本発明のＩＣカードの読み取り方式は、接触、非接触のどちらの方式としてもよい。
（３）上記実施の形態、及び上記（１）、（２）を組み合わせて実施してもよい。
【００６２】
【発明の効果】
本発明に係るＩＣカードは、ＩＣカードを用いた各サービスに対応する固有ファイルを複数格納しているユーザ領域を備えるＩＣカードであって、前記ユーザ領域の初期化動作を指示するオペコード部と、前記ユーザ領域に格納されている固有ファイルの中から１つ以上のファイルを指定するファイル識別情報を含むオペランド部とからなる初期化コマンドを、外部装置から受け付ける受付手段と、ユーザ領域のうち、前記受付手段により受け付けられた初期化コマンドに含まれるファイル識別情報により指定される固有ファイルが格納されている領域を除く部分を初期化する初期化手段とを備えることを特徴とする。
【００６３】
これによって、初期化後も使用するファイルを指定し、指定したファイルを消去せずにＩＣカードのユーザ領域を初期化することができる。
従って、初期化後も使用するファイルの再発行処理を省略することが出来、ＩＣカードの再発行処理を簡易化し、再発行の効率の向上を実現することができる。さらに、再発行時に発行処理を一から行うことが不要となるため、ＩＣカードを輸送する機会が減り、輸送途中においてＩＣカードが盗難、紛失等にあう危険性を軽減することもできる。
【００６４】
また、前記初期化手段は、前記ファイル識別情報により指定される固有ファイルが格納されている前記ユーザ領域上の位置を特定する領域特定手段と、領域特定手段により特定された領域を除くことにより１又は複数に分けられたユーザ領域上の残りの領域を、初期化する領域初期化手段を含むことを特徴とする。
これによって、指定されるファイルが格納される領域の消去、及び書き込みの回数を削減することができる。
【００６５】
従って、ＩＣカードの記憶媒体であるＥＥＰＲＯＭのデータ消去、書き込みにともなう劣化を抑えることができる。
また、前記ファイル識別情報が指定する固有ファイルは、所定の情報を保持するデータ領域を含み、前記初期化コマンドの前記オペランド部はさらに、前記データ領域の前記所定の情報を消去するか否かを示す処理種別情報を含み、前記初期化手段はさらに、前記処理種別情報にしたがって、前記所定の情報を消去する付加消去手段を含むことを特徴とする。
【００６６】
これによって、指定されたファイルを初期化対象から除外して初期化し、さらに初期化と共に初期化対象から除外したファイルのデータを消去する事が可能となる。
従って、初期化後もファイルの内容をかえて使用するファイルの再発行の効率をさらに向上することができる。
【００６７】
また、前記オペランド部はさらに、前記付加消去手段により初期化された前記データ領域に新たな情報を格納することを示す格納指示情報と、前記新たな情報とを含み、前記初期化手段はさらに、前記格納指示情報にしたがって、前記初期化された前記データ領域に前記新たな情報を格納する再格納手段を含むことを特徴とする。
【００６８】
これによって、初期化と共に指定ファイルの内容を新たに書き込むことが可能となる。
従って、初期化後もファイルの内容をかえて使用するファイルの再発行の効率をさらに向上することができる。
本発明に係るＩＣカード初期化方法は、ＩＣカードを用いた各サービスに対応する固有ファイルを複数格納しているユーザ領域を備えるＩＣカードにおけるＩＣカード初期化方法であって、前記ユーザ領域の初期化動作を指示するオペコード部と、前記ユーザ領域に格納されている固有ファイルの中から１つ以上のファイルを指定するファイル識別情報を含むオペランド部とからなる初期化コマンドを、外部装置から受け付ける受け付けステップと、ユーザ領域のうち、前記受付手段により受け付けられた初期化コマンドに含まれるファイル識別情報により指定される固有ファイルが格納されている領域を除く部分を初期化する初期化ステップとを有することを特徴とする。
【００６９】
これによって、初期化後も使用するファイルを指定し、指定したファイルを消去せずにＩＣカードのユーザ領域を初期化することができる。
従って、初期化後も使用するファイルの再発行処理を省略することが出来、ＩＣカードの再発行処理を簡易化し、再発行の効率の向上を実現することができる。さらに、再発行時に発行処理を一から行うことが不要となるため、ＩＣカードを輸送する機会が減り、輸送途中においてＩＣカードが盗難、紛失等にあう危険性を軽減することもできる。
【図面の簡単な説明】
【図１】本発明の実施の形態１に係るＩＣカードを用いて複数のサービスを利用できるＩＣカードシステム１の構成を示す図である。
【図２】本発明の実施の形態１に係るＩＣカード１２の機能ブロック図である。
【図３】一次発行前のメモリ内容を示す図である。
【図４】外部機器１０とＩＣカード１２間において送受するコマンドのフォーマットである。
【図５】ファイルＩＤテーブル１２０のデータ構造を示す図である。
【図６】本発明の実施の形態１に係わるＩＣカードシステム１の発行、及び再発行の流れを示す図である。
【図７】１次発行におけるリーダライタとＩＣカード１２との動作の流れを示す図である。
【図８】一次発行済みのＩＣカード１２のメモリ内容を示す図である。
【図９】２次発行済みのＩＣカード１２のメモリ内容を示す図である。
【図１０】初期化動作におけるリーダライタとＩＣカードとの動作の流れを示す図である。
【図１１】本発明の実施の形態２に係るＩＣカードを用いて複数のサービスを利用できるＩＣカードシステム２の構成を示す図である。
【図１２】発行済みのＩＣカード２２のメモリ内容を示す図である。
【図１３】本発明の実施の形態２に係るＩＣカード２２の機能ブロック図である。
【図１４】外部機器２０とＩＣカード２２間において送受するカード初期化コマンドのフォーマットを示す。
【図１５】初期化後のＩＣカード２２のメモリ内容を示す図である。
【図１６】初期化動作におけるリーダライタとＩＣカード２２との動作の流れを示す図である。
【符号の説明】
１    ＩＣカードシステム
２    ＩＣカードシステム
１１    カード発行者
１２    ＩＣカード
１３    サービス提供者
１４    サービス提供者
１５    サービス提供者
２０    外部機器
２１    カード発行者
２２    ＩＣカード
２３    サービス施設
２４    サービス施設
２５    サービス施設
１０１    記憶部
１０２    コマンド受信部
１０３    コマンド解析部
１０４    キー照合部
１０５    ファイル創生部
１０６    テーブル記憶部
１０７    ファイル検索部
１０８    ファイル書込み部
１０９    カード初期化部
１１０    レスポンス送信部
１２０    ファイルＩＤテーブル
２０１    システム領域
２０２    ユーザ領域
２０３    ライフサイクル情報
２０４    発行者キー
２０５    ファイル
２０６    ファイル
２０７    アクセスキー
２０８    ファイル
２０９    アクセスキー
２２１    カード初期化部
２２２    付加消去部
６０１    ファイル
６０２    ファイル
【図１】
2004199202.tif 000003
【図２】
2004199202.tif 000004
【図３】
2004199202.tif 000005
【図４】
2004199202.tif 000006
【図５】
2004199202.tif 000007
【図６】
2004199202.tif 000008
【図７】
2004199202.tif 000009
【図８】
2004199202.tif 000010
【図９】
2004199202.tif 000011
【図１０】
2004199202.tif 000012
【図１１】
2004199202.tif 000013
【図１２】
2004199202.tif 000014
【図１３】
2004199202.tif 000015
【図１４】
2004199202.tif 000016
【図１５】
2004199202.tif 000017
【図１６】
2004199202.tif 000018